(57)【要約】【課題】アイドルストップ制御機能付きの車両において、アイドルストップ中の空調能力向上とエンジン停止時間（アイドルストップ時間）の延長とを実現する。【解決手段】車両トルクモデルを用いてエンジン回転速度が容量可変型のコンプレッサ１を駆動可能な最小のエンジン回転速度まで低下するタイミング（以下「コンプレッサ停止タイミング」という）を予測し、予測したコンプレッサ停止タイミングの所定時間前からエバポレータ温度低下制御を実行する。このエバポレータ温度低下制御実行中は、コンプレッサ１の容量を最大容量に増加させ且つ送風ファン１２の回転速度（送風量）を所定量低下させると共に、ラジエータファン４７の回転速度（送風量）を最大値まで増加させる。このエバポレータ温度低下制御を終了してエンジン４がアイドルストップした後も、引き続き送風ファン１２の回転速度（送風量）を所定量低下させた状態に維持する。【選択図】図１
2011189812.tif 000002
【特許請求の範囲】
【請求項１】
車両の動力源となるエンジンと、前記エンジンの運転中に自動停止要求が発生した時に該エンジンを自動停止するアイドルストップ制御手段と、前記エンジンによって駆動されるコンプレッサによって冷凍サイクル内の冷媒をエバポレータへ循環させて該エバポレータの冷却作用によって車室内に吹き出す空気温度を調節する空調装置とを備えた車両の制御装置において、
前記コンプレッサは、容量可変型のコンプレッサであり、
エンジン回転速度の変化を予測する車両トルクモデルを用いてエンジン回転速度が前記コンプレッサを駆動可能な最小のエンジン回転速度まで低下するタイミング（以下「コンプレッサ停止タイミング」という）を予測するコンプレッサ停止タイミング予測手段と、  前記コンプレッサ停止タイミング予測手段で予測したコンプレッサ停止タイミングの所定時間前から前記コンプレッサの容量を増加させ且つ前記空調装置の送風ファンの回転速度を低下させるエバポレータ温度低下制御を実行する空調制御手段と
を備えていることを特徴とする車両の制御装置。
【請求項２】
前記空調制御手段は、前記エバポレータ温度低下制御の実行中にエンジンルーム内に設置されたラジエータファンの回転速度を増加させることを特徴とする請求項１に記載の車両の制御装置。
【請求項３】
ブレーキの踏込み操作を検出するブレーキ操作検出手段を備え、
前記コンプレッサ停止タイミング予測手段は、前記ブレーキ操作検出手段で前記ブレーキの踏込み操作が検出されてから前記コンプレッサ停止タイミングの予測演算を開始することを特徴とする請求項１又は２に記載の車両の制御装置。
【請求項４】
前記コンプレッサ停止タイミング予測手段は、所定の演算周期で前記コンプレッサ停止タイミングを予測する演算を繰り返し、それまでに予測した複数のコンプレッサ停止タイミングの中から最も早く到来するコンプレッサ停止タイミングを最終的なコンプレッサ停止タイミングとして決定し、
前記空調制御手段は、前記最終的なコンプレッサ停止タイミングの所定時間前から前記エバポレータ温度低下制御を実行することを特徴とする請求項１乃至３のいずれかに記載の車両の制御装置。
【請求項５】
前記空調制御手段は、前記エバポレータの温度に基づいて前記所定時間を設定することを特徴とする請求項１乃至４のいずれかに記載の車両の制御装置。
【請求項６】
前記空調制御手段は、前記エバポレータ温度低下制御により前記空調装置の送風ファンの回転速度を低下させた状態を前記エンジンの自動停止後も継続することを特徴とする請求項１乃至５のいずれかに記載の車両の制御装置。
【請求項７】
前記エバポレータを通過した風量のうちヒータコアをバイパスする風量と該ヒータコアを通過する風量との割合を調整するエアミックスドアを備え、
前記空調制御手段は、前記エバポレータ温度低下制御により前記空調装置の送風ファンの回転速度を低下させる低下量を、前記エバポレータの温度と前記エアミックスドアの開度とに基づいて設定することを特徴とする請求項１乃至６のいずれかに記載の車両の制御装置。
【請求項８】
前記空調制御手段は、前記エンジンの自動停止中に前記エバポレータの温度が所定温度Ｔ１以上に上昇した時に該エンジンを始動させて前記コンプレッサを駆動することを特徴とする請求項１乃至７のいずれかに記載の車両の制御装置。
【請求項９】
前記空調制御手段は、前記エバポレータ温度低下制御の実行中に前記エバポレータの温度が所定温度Ｔ２以下に低下した時に前記コンプレッサの容量を所定量低下させることを特徴とする請求項１乃至８のいずれかに記載の車両の制御装置。
【発明の詳細な説明】
【技術分野】
【０００１】
本発明は、エンジン運転中に自動停止要求が発生した時に該エンジンを自動停止するアイドルストップ制御機能を備えた車両の制御装置に関する発明である。
【背景技術】
【０００２】
アイドルストップ制御機能付きの車両では、走行中に空調装置を作動させて車室内を空調している場合は、アイドルストップ後も、車室内の空調を継続する必要がある。しかし、アイドルストップ中は、エンジンが停止して空調装置のコンプレッサ（圧縮機）の駆動が停止されるため、アイドルストップ中はエバポレータ（蒸発器）への冷媒の循環が停止してエバポレータの温度上昇を抑えることができない。このため、アイドルストップ中の空調能力が低下すると共に、アイドルストップ中にエバポレータの温度がコンプレッサ駆動開始温度を越えてエンジンが再始動されるまでの時間（エンジン停止時間）が短くなりやすい。
【０００３】
そこで、特許文献１（特開２００１−３１０６２０号公報）では、ブレーキ作動中に車速が判定閾値（所定車速）以下になったか否かで停車直前の状態であるか否かを判定し、停車直前の状態であると判定したときに、エバポレータの温度を所定温度以下に低下させるようにコンプレッサの運転を制御することで、アイドルストップ開始時のエバポレータの温度を従来よりも低下させるようにしている。更に、特許文献１では、エンジン運転中及びアイドルストップ中における空調装置の送風ファンの回転速度（送風量）を、乗員が空調温度設定スイッチで設定した目標吹出温度に応じて設定するようにしている。
【先行技術文献】
【特許文献】
【０００４】
【特許文献１】特開２００１−３１０６２０号公報
【発明の概要】
【発明が解決しようとする課題】
【０００５】
ところで、車両減速中にエンジン回転速度がコンプレッサを駆動可能な最小のエンジン回転速度（以下「コンプレッサ停止回転速度」という）まで低下すると、コンプレッサの駆動が停止されるため、特許文献１のように、ブレーキ作動中に車速が判定閾値（所定車速）以下になったか否かで、エバポレータの温度を低下させるタイミングを判定すると、アイドルストップ開始までにエバポレータの温度を十分に低下させる時間を確保できない可能性がある。
【０００６】
これを具体的に説明すると、車速とエンジン回転速度との関係は、一定ではなく、変速機のギア比やトルクコンバータの入出力軸回転速度比によって変化するため、車速が判定閾値（所定車速）に達した時のエンジン回転速度が想定範囲よりも低くなる可能性があり、その結果、車速が判定閾値（所定車速）に達してからエンジン回転速度がコンプレッサ停止回転速度に達するまでの時間が想定範囲よりも短くなる可能性がある。しかも、エバポレータの温度を低下させる制御の実行中も、空調装置の送風ファンの回転速度（送風量）が走行中と同じ目標吹出温度に応じて設定されるため、エバポレータの温度を低下させる速度が遅くなって、アイドルストップ開始までにエバポレータの温度を所定温度以下に低下させることができない可能性がある。しかも、アイドルストップ中も、空調装置の送風ファンの回転速度（送風量）が走行中と同じ目標吹出温度に応じて設定されるため、エバポレータの温度上昇を遅くすることができず、エンジン停止時間（アイドルストップ時間）が短くなってしまう可能性がある。このため、特許文献１の技術では、アイドルストップ前のエバポレータ温度低下制御によるアイドルストップ中の空調能力向上とエンジン停止時間（アイドルストップ時間）の延長に関して、期待するほどの効果は得られないと思われる。
【０００７】
そこで、本発明が解決しようとする課題は、アイドルストップ中の空調能力向上とエンジン停止時間（アイドルストップ時間）の延長とを実現できる車両の制御装置を提供することである。
【課題を解決するための手段】
【０００８】
上記課題を解決するために、請求項１に係る発明は、車両の動力源となるエンジンと、前記エンジンの運転中に自動停止要求が発生した時に該エンジンを自動停止するアイドルストップ制御手段と、前記エンジンによって駆動されるコンプレッサによって冷凍サイクル内の冷媒をエバポレータへ循環させて該エバポレータの冷却作用によって車室内に吹き出す空気温度を調節する空調装置とを備えた車両の制御装置において、前記コンプレッサは、容量可変型のコンプレッサであり、エンジン回転速度の変化を予測する車両トルクモデルを用いてエンジン回転速度が前記コンプレッサを駆動可能な最小のエンジン回転速度まで低下するタイミング（以下「コンプレッサ停止タイミング」という）を予測するコンプレッサ停止タイミング予測手段と、前記コンプレッサ停止タイミング予測手段で予測したコンプレッサ停止タイミングの所定時間前から前記コンプレッサの容量を増加させ且つ前記空調装置の送風ファンの回転速度を低下させるエバポレータ温度低下制御を実行する空調制御手段とを備えた構成としたものである。
【０００９】
この場合、エバポレータ温度低下制御の実行中にコンプレッサの容量を最大容量まで増加させても良いし、それよりも少ない所定量まで増加させるようにして良い。コンプレッサの容量が大きくなるほど、エバポレータの温度低下速度を速めることができ、エバポレータ温度低下制御の実行時間を短くすることができる。また、エバポレータ温度低下制御の実行中に空調装置の送風ファンの回転速度（送風量）を低下させる量は、乗員が送風量の低下をさほど不快に感じない範囲で設定すれば良い。
【００１０】
本発明では、車両トルクモデルを用いてエンジン回転速度がコンプレッサを駆動可能な最小のエンジン回転速度まで低下するコンプレッサ停止タイミングを予測し、予測したコンプレッサ停止タイミングの所定時間前からエバポレータ温度低下制御を実行するようにしているため、アイドルストップ前にエバポレータ温度低下制御を実行する時間を確実に所定時間確保することができる。しかも、エバポレータ温度低下制御の実行中にコンプレッサの容量を増加させて冷凍サイクルの冷却能力を増大させながら空調装置の送風ファンの回転速度（送風量）を低下させるため、アイドルストップ開始までにエバポレータの温度を効率良く低下させることが可能となる。これにより、アイドルストップ開始時のエバポレータの温度を従来より低下させることが可能となり、アイドルストップ中の空調能力を向上させることができると共に、エンジン停止時間（アイドルストップ時間）の延長も可能となる。この場合、エバポレータ温度低下制御の実行中に送風ファンの回転速度（送風量）を低下させるため、乗員が空調温度設定スイッチで設定した目標吹出温度よりも吹出温度が少し高くなるかもしれないが、エバポレータ温度低下制御の実行時間は短時間であるため、乗員がほとんど不快感を感じることはない。
【００１１】
更に、空調装置の冷凍サイクルがエンジンルーム内に配置されていることを考慮して、請求項２のように、エバポレータ温度低下制御の実行中にエンジンルーム内に設置されたラジエータファンの回転速度（送風量）を増加させるようにすれば良い。このようにすれば、エバポレータ温度低下制御の実行中に、ラジエータファンの送風量を増加させてエンジンルーム内の空冷効果を高めることができるため、その空冷効果によって冷凍サイクル周辺の雰囲気温度を低下させて、エバポレータの温度低下を促進することができる。この場合、エバポレータ温度低下制御の実行中にラジエータファンの回転速度を最大値まで増加させても良いし、それよりも少ない所定量まで増加させるようにして良い。ラジエータファンの回転速度が高くなるほど、冷凍サイクルに対する空冷効果を高めることができる。
【００１２】
ところで、運転者がアクセルを踏み込んで走行している状態が続いている期間は、自動停止要求（アイドルストップ要求）が発生しないが、運転者がブレーキを踏み込んで減速し始めると、その後、車両が停止する可能性があるため、状況によっては、自動停止要求が発生してアイドルストップが実行される可能性がある。このように、アイドルストップが実行される場合は、その前提条件として、少なくともブレーキの踏込み操作が行われていることが条件となる。
【００１３】
この点を考慮して、請求項３のように、ブレーキ操作検出手段でブレーキの踏込み操作が検出されてからコンプレッサ停止タイミングの予測演算を開始するようにしても良い。このようにすれば、暫くするとアイドルストップが実行される可能性がある運転領域でのみコンプレッサ停止タイミングの予測演算を行い、暫くしてもアイドルストップが実行される可能性がない運転領域ではコンプレッサ停止タイミングの予測演算を行わずに済むため、その予測演算を実行する車載コンピュータの演算処理負荷を軽減できる。但し、本発明は、車載コンピュータの演算処理能力に余裕があれば、全運転領域でコンプレッサ停止タイミングの予測演算を所定周期で繰り返すようにしても良いことは言うまでもない。
【００１４】
また、請求項４のように、所定の演算周期でコンプレッサ停止タイミングを予測する演算を繰り返し、それまでに予測した複数のコンプレッサ停止タイミングの中から最も早く到来するコンプレッサ停止タイミングを最終的なコンプレッサ停止タイミングとして決定し、最終的なコンプレッサ停止タイミングの所定時間前からエバポレータ温度低下制御を実行するようにしても良い。このようにすれば、コンプレッサ停止タイミングの予測誤差があっても、エバポレータ温度低下制御の実行時間を所定時間確保することができ、コンプレッサ停止タイミングの予測誤差によってエバポレータ温度低下制御の実行時間が短くなることを防止できる。この場合、エバポレータ温度低下制御の開始タイミングが到来するまでコンプレッサ停止タイミングの予測演算を所定の演算周期で繰り返すようにすれば良い。
【００１５】
本発明は、エバポレータ温度低下制御の実行時間（所定時間）は予め決められた一定時間としても良いが、エバポレータ温度低下制御の開始時のエバポレータの温度が高いほど、エバポレータ温度低下制御によりエバポレータの温度をアイドルストップ開始時の目標温度領域に低下させるのに要する時間が長くなるため、請求項５のように、エバポレータの温度に基づいて前記所定時間（エバポレータ温度低下制御の実行時間）を設定するようにしても良い。このようにすれば、エバポレータ温度低下制御の開始時のエバポレータの温度が高い場合は、それに応じてエバポレータ温度低下制御の実行時間を長く設定し、エバポレータ温度低下制御の開始時のエバポレータの温度が低い場合は、それに応じてエバポレータ温度低下制御の実行時間を短く設定するという制御が可能となる。これにより、エバポレータ温度低下制御の開始時のエバポレータの温度が高い場合でも、エバポレータ温度低下制御によりエバポレータの温度をアイドルストップ開始時の目標温度領域まで確実に低下させることができ、一方、エバポレータ温度低下制御の開始時のエバポレータの温度が低い場合は、エバポレータ温度低下制御によりエバポレータがアイドルストップ開始時の目標温度領域以下に過冷却されることを防止できる。
【００１６】
また、請求項６のように、エバポレータ温度低下制御により空調装置の送風ファンの回転速度を低下させた状態をエンジンの自動停止後（アイドルストップ中）も継続するようにしても良い。このようにすれば、アイドルストップ中のエバポレータの温度上昇速度を遅くすることができ、エバポレータ温度低下制御によりアイドルストップ開始時のエバポレータの温度を低下させることと相俟ってエンジン停止時間（アイドルストップ時間）をより効果的に延長することができる。
【００１７】
この場合、請求項７のように、エバポレータを通過した風量のうちヒータコアをバイパスする風量と該ヒータコアを通過する風量との割合を調整するエアミックスドアを備えた空調装置においては、エバポレータ温度低下制御により空調装置の送風ファンの回転速度を低下させる低下量を、エバポレータの温度とエアミックスドアの開度とに基づいて設定するようにしても良い。このようにすれば、空調装置の送風ファンの回転速度（送風量）を低下させる低下量を、乗員がさほど不快感を感じないように適正に設定できる。
【００１８】
また、アイドルストップ中にエバポレータの温度が高くなり過ぎると、空調能力が低下して乗員が不快感を感じるようになるため、請求項８のように、アイドルストップ中にエバポレータの温度が所定温度Ｔ１以上に上昇した時にエンジンを始動させてコンプレッサを駆動するようにすると良い。このようにすれば、アイドルストップ中にエバポレータの温度上昇により空調能力が低下して乗員が不快感を感じるようになる前に、コンプレッサを駆動してエバポレータの温度を低下させて空調能力を回復させることができる。
【００１９】
また、請求項９のように、エバポレータ温度低下制御の実行中にエバポレータの温度が所定温度Ｔ２以下に低下した時にコンプレッサの容量を所定量低下させるようにすると良い。このようにすれば、エバポレータ温度低下制御の実行中にエバポレータの温度が所定温度Ｔ２以下に低下した時にエバポレータの温度低下を抑えることができ、エバポレータの凍結を防止できる。
【図面の簡単な説明】
【００２０】
【図１】図１は本発明の一実施例の制御系全体の構成を示す図である。
【図２】図２はアイドルストップ用空調制御の一例を説明するタイムチャートである。
【図３】図３はエバポレータ温度低下制御ルーチンの処理の流れを説明するフローチャート（その１）である。
【図４】図４はエバポレータ温度低下制御ルーチンの処理の流れを説明するフローチャート（その２）である。
【図５】図５はアイドルストップ中空調制御ルーチンの処理の流れを説明するフローチャートである。
【発明を実施するための形態】
【００２１】
以下、本発明を実施するための形態をトルクコンバータ付きの自動変速機を搭載した車両に適用して具体化した一実施例を説明する。
まず、図１に基づいて制御系全体の構成を説明する。
【００２２】
車両に搭載される空調装置の冷凍サイクル１１には、冷媒を吸入、圧縮、吐出するコンプレッサ１が設けられている。コンプレッサ１は、容量可変型のコンプレッサで、動力断続用の電磁クラッチ２を有し、該コンプレッサ１には電磁クラッチ２およびベルト３を介して車両エンジン４の動力が伝達される。電磁クラッチ２への通電は空調用電子制御装置（以下「エアコンＥＣＵ」という）５により断続され、電磁クラッチ２への通電の断続によりコンプレッサ１の運転が断続される。
【００２３】
コンプレッサ１から吐出された高温、高圧のガス冷媒は、コンデンサ６に流入し、ここで、冷却ファン（図示せず）より送風される外気により冷却されて凝縮する。このコンデンサ６で凝縮して液化した冷媒は受液器７に流入し、受液器７の内部で冷媒の気液が分離され、冷凍サイクル１１内の余剰冷媒（液冷媒）が受液器７内に蓄えられる。
【００２４】
この受液器７からの液冷媒は膨張弁８により減圧され、低圧の気液２相状態となる。膨張弁８はエバポレータ９の出口冷媒の温度を感知する感温部８ａを有する温度式膨張弁である。この膨張弁８からの低圧冷媒はエバポレータ９に流入する。このエバポレータ９は車両用空調装置の空調ケース１０内に設置され、エバポレータ９に流入した低圧冷媒は空調ケース１０内の空気から吸熱して蒸発する。エバポレータ９の出口はコンプレッサ１の吸入側に結合され、上記したサイクル構成部品によって、冷媒が循環する閉回路が構成されている。
【００２５】
空調ケース１０内のエバポレータ９の上流側には、モータ１３で駆動される送風ファン１２が設置されている。送風ファン１２の吸入側には内外気切替ケース１４が配置され、この内外気切替ケース１４内の内外気切替ドア１４ａにより外気導入口１４ｂと内気導入口１４ｃを開閉する。これにより、内外気切替ケース１４内に外気（車室外空気）又は内気（車室内空気）が切替導入される。内外気切替ドア１４ａはサーボモータ等からなる電気駆動装置１４ｅにより駆動される。
【００２６】
空調ケース１０内のエバポレータ９の下流側には、エアミックスドア１９が配置されている。このエアミックスドア１９の下流側には車両エンジン４の温水（冷却水）を熱源として空気を加熱する温水式のヒータコア２０が設置されている。このヒータコア２０の側方部には、ヒータコア２０をバイパスして空気を流すバイパス通路２１が形成されている。
【００２７】
エアミックスドア１９は回動可能な板状ドアであり、サーボモータ等からなる電気駆動装置２２により駆動される。エアミックスドア１９は、ヒータコア２０を通過する温風とバイパス通路２１を通過する冷風との風量割合を調節するものであって、この冷温風の風量割合の調節により車室内への吹出空気温度を調節する。
【００２８】
ヒータコア２０の下流側には、該ヒータコア２０に沿って延びる温風通路２３が形成され、この温風通路２３からの温風とバイパス通路２１からの冷風が空気混合部２４で混合されて、車室内への吹出空気温度が調節される。
【００２９】
更に、空調ケース１０の上面部にはデフロスタ開口部２５が形成され、このデフロスタ開口部２５から車両フロントガラス内面に空気が吹き出される。デフロスタ開口部２５は、回動自在な板状のデフロスタドア２６により開閉される。
【００３０】
また、空調ケース１０の上面部で、デフロスタ開口部２５より車両後方側の部位にフェイス開口部２７が形成され、このフェイス開口部２７から車室内乗員の上半身に向けて空気が吹き出される。フェイス開口部２７は回動自在な板状のフェイスドア２８により開閉される。
【００３１】
また、空調ケース１０において、フェイス開口部２７の下側部位にフット開口部２９が形成され、このフット開口部２９から車室内乗員の足元に向けて空気が吹き出される。フット開口部２９は回動自在な板状のフットドア３０により開閉される。
上記吹出モードドア２６，２８，３０は共通のリンク機構（図示せず）に連結され、このリンク機構を介してサーボモータ等からなる電気駆動装置３１により駆動される。
【００３２】
次に、空調装置の制御系の構成を説明する。
エバポレータ９の温度を検出する温度検出手段として、サーミスタ等の温度センサ３２が設けられている。この温度センサ３２は空調ケース１０内でエバポレータ９の空気吹出直後の部位に配置され、エバポレータ吹出温度Ｔｅを検出する。
【００３３】
エアコンＥＣＵ５には、上記温度センサ３２の他に、空調制御のために、内気温Ｔｒ、外気温Ｔａｍ、日射量Ｔｓ、温水温度Ｔｗ等を検出する各センサ３３〜３６から検出信号が入力される。また、車室内計器盤近傍に設置される空調制御パネル３７には乗員により手動操作される操作スイッチ３７ａ〜３７ｅが設けられ、各操作スイッチ３７ａ〜３７ｅの操作信号もエアコンＥＣＵ５に入力される。
【００３４】
具体的には、目標吹出温度Ｔｓｅｔを設定する温度設定スイッチ３７ａ、風量切替信号を発生する風量スイッチ３７ｂ、吹出モード信号を発生する吹出モードスイッチ３７ｃ、内外気切替信号を発生する内外気切替スイッチ３７ｄ、エアコンスイッチ３７ｅ、エコノミースイッチ３７ｆ等が設けられている。
【００３５】
吹出モードスイッチ３７ｃは、フェイスモード、フットモード、バイレベルモード、フットデフモード、デフロスタモードの各モードを手動操作で切り替えるものである。また、エアコンスイッチ３７ｅは、コンプレッサ１のオン・オフ信号を発生すると共に、エバポレータ９の目標温度ＴＥＯをフロスト防止用の低めの温度に設定する信号を発生する。エコノミースイッチ３７ｆは、コンプレッサ１のオン・オフ信号を発生すると共に、エバポレータ９の目標温度ＴＥＯをフロスト防止用の低めの温度から高めの温度に引き上げる信号を発生する。
【００３６】
更に、エアコンＥＣＵ５は、エンジン用電子制御装置（以下「エンジンＥＣＵ」という）３８に接続され、両ＥＣＵ５，３８間で各種信号を送受信するように構成されている。エンジンＥＣＵ３８には、エンジン４のクランク軸が所定クランク角回転する毎にパルスを出力するクランク角センサ４１が接続され、このクランク角センサ４１の出力パルスに基づいてクランク角やエンジン回転速度が検出される。その他、エンジンＥＣＵ３８には、ブレーキの踏込み操作を検出するブレーキスイッチ４２（ブレーキ操作検出手段）、車速を検出する車速センサ４３、外気温（又は吸気温）を検出する外気温センサ４４（又は吸気温センサ）、スロットル開度を検出するスロットルセンサ４５、アクセル開度を検出するアクセルセンサ４６等が接続されている。
【００３７】
エアコンＥＣＵ５は、コンプレッサ１の駆動中にエンジン回転速度がコンプレッサ１を駆動可能な最小のエンジン回転速度まで低下した時に、電磁クラッチ２への通電をオフしてコンプレッサ１の駆動を停止し、その後、エバポレータ吹出温度Ｔｅ（エバポレータ９の温度）が所定温度Ｔ１以上に上昇した時に電磁クラッチ２への通電をオンしてコンプレッサ１の駆動を再開する。
【００３８】
一方、エンジンＥＣＵ３８は、上述した各種センサ等で検出したエンジン運転状態に応じて、燃料噴射量、点火時期、スロットル開度（吸入空気量）等を制御すると共に、エンジン運転中に自動停止要求（アイドルストップ要求）が発生したか否かを監視して、自動停止要求が発生したときに燃料噴射を停止（燃料カット）してエンジン４の燃焼を自動的に停止させるアイドルストップ制御を実行するアイドルストップ制御手段として機能する。ここで、自動停止要求は、例えば、ブレーキスイッチ４２のオン（ブレーキ作動中）、アクセル全閉、停車中（車速＝０）等の条件を全て満たした時に発生する。尚、アイドルストップ制御を実行する運転領域を、車両走行中に車両停止に至る可能性のある低速での減速領域まで拡大するようにしても良い。
【００３９】
アイドルストップ中（エンジン自動停止中）に、運転者が車両を発進又は再加速させようとする操作（例えば、ブレーキ解除操作、アクセル踏込み操作、シフトレバーのドライブレンジへの操作等）を行ったときに、再始動要求が発生してエンジン４を再始動させる。その他、後述するようにエアコンＥＣＵ５から再始動要求が発生してエンジン４を再始動させる場合もある。
【００４０】
更に、本実施例では、アイドルストップ中の空調能力向上とエンジン停止時間（アイドルストップ時間）の延長とを実現するために、エアコンＥＣＵ５は、後述する図３及び図４のエバポレータ温度低下制御ルーチンを実行することで、エンジン回転速度の変化を予測する車両トルクモデルを用いてエンジン回転速度がコンプレッサ１を駆動可能な最小のエンジン回転速度まで低下するタイミング（以下「コンプレッサ停止タイミング」という）を予測し、予測したコンプレッサ停止タイミングの所定時間前からコンプレッサ１の容量を増加させ且つ送風ファン１２の回転速度を低下させるエバポレータ温度低下制御を実行するようにしている。
【００４１】
ここで、車両トルクモデルの内容を、トルクコンバータ付きの自動変速機を搭載した車両を例にして説明する。
時刻(k) でのエンジン回転速度をＮe(k)、タービン回転速度（トルクコンバータの出力軸回転速度）をＮt(k)とすると、時刻(k) でのトルクコンバータの入力トルクＴin(k) は、次式で算出される。
Ｔin(k) ＝Ｃｐ（Ｎt(k)／Ｎe(k)）×Ｎe(k)2
【００４２】
ここで、Ｃｐ（Ｎt(k)／Ｎe(k)）は、トルクコンバータの容量係数であり、エンジン回転速度Ｎe(k)とタービン回転速度Ｎt(k)との回転速度比（Ｎt(k)／Ｎe(k)）をパラメータとするマップ又は数式等により算出される。
【００４３】
上式により算出したトルクコンバータの入力トルクＴin(k) を用いて、時刻(k) での加速度ａ(k) は、次式で算出される。
ａ(k) ＝｛Ｇ(k) ×ファイナルギア比×ζ(k) ×Ｔin(k) ｝／（タイヤ径×車重）
Ｇ(k) ：時刻(k) での変速機のギア比
ζ(k) ：時刻(k) でのトルクコンバータのトルク増幅比
上式により算出した加速度ａ(k) と車速センサ４３で検出した車速ｓｐｄ(k) を用いて時刻(k+n) での予測車速ｓｐｄ(k+n) は、次式で算出される。
【００４４】
【数１】
2011189812.tif 000003
【００４５】
ここで、演算周期をdtとすると、時刻(k+n) は、現在の時刻(k) から（ｎ×dt）経過後の時刻である。時刻(k+m-1) での予測ギア比Ｇ(k+m-1) は、時刻(k+m-1) での予測車速ｓｐｄ(k+m-1) に基づいてマップ等により設定される。
【００４６】
時刻(k+n) での予測車速ｓｐｄ(k+n) と予測ギア比Ｇ(k+n) を用いて、時刻(k+n) での予測タービン回転速度Ｎt(k+n)は、次式で算出される。
Ｎt(k+n)＝ｓｐｄ(k+n) ×ファイナルギア比×Ｇ(k+n) ／タイヤ径
時刻(k+n) での予測エンジン回転速度Ｎe(k+n)は、次式で算出される。
【００４７】
【数２】
2011189812.tif 000004
【００４８】
上式により、時刻(k+n) での予測エンジン回転速度Ｎe(k+n)を算出し、予測エンジン回転速度Ｎe(k+n)がコンプレッサ１を駆動可能な最小のエンジン回転速度（以下「コンプレッサ停止回転速度」という）まで低下する演算時期ｎを求める。
Ｎe(k+n)≦コンプレッサ停止回転速度
【００４９】
上式の条件を満たすｎの最小値ｎmin を求め、現在の時刻(k) から（ｎmin ×dt）経過したタイミングがコンプレッサ停止タイミング（コンプレッサ１を駆動可能な最小のエンジン回転速度まで低下するタイミング）となる。
【００５０】
本実施例では、コンプレッサ停止タイミングの予測誤差があることを考慮して、図２に示すように、所定の演算周期dtで、コンプレッサ停止タイミングを予測する演算を繰り返し、それまでに予測した複数のコンプレッサ停止タイミングの中から最も早く到来するコンプレッサ停止タイミングを最終的なコンプレッサ停止タイミングとして決定し、最終的なコンプレッサ停止タイミングの所定時間前からエバポレータ温度低下制御を実行するようにしている。この場合、エバポレータ温度低下制御の開始タイミングが到来するまでコンプレッサ停止タイミングの予測演算を所定の演算周期dtで繰り返すようにすれば良い。このようにすれば、コンプレッサ停止タイミングの予測誤差があっても、エバポレータ温度低下制御の実行時間を確実に所定時間確保することができ、コンプレッサ停止タイミングの予測誤差によってエバポレータ温度低下制御の実行時間が短くなることを防止することができる。
【００５１】
本実施例では、図２に示すように、エバポレータ温度低下制御の実行中にコンプレッサ１の容量を最大容量まで増加させるようにしているが、それよりも少ない所定量まで増加させるようにして良い。コンプレッサ１の容量が大きくなるほど、エバポレータ９の温度低下速度を速めることができ、エバポレータ温度低下制御の実行時間を短くすることができる。また、エバポレータ温度低下制御の実行中に送風ファン１２の回転速度（送風量）を低下させるほど、エバポレータ９の温度低下速度を速めることができるが、送風ファン１２の回転速度（送風量）を低下させ過ぎると、乗員が送風量の低下を不快に感じてしまう可能性があるため、送風ファン１２の回転速度（送風量）の低下量は、乗員が送風量の低下をさほど不快に感じない範囲で設定すると良い。
【００５２】
更に、本実施例では、冷凍サイクル１１がエンジンルーム内に配置されていることを考慮して、図２に示すように、エバポレータ温度低下制御の実行中に、エンジンルーム内の冷却水循環回路のラジエータ（図示せず）を空冷するラジエータファン４７の回転速度を増加させるようにしている。このようにすれば、エバポレータ温度低下制御の実行中に、ラジエータファン４７の送風量を増加させてエンジンルーム内の空冷効果を高めることができるため、その空冷効果によって冷凍サイクル１１周辺の雰囲気温度を低下させて、エバポレータ９の温度低下を促進することができる。
【００５３】
また、本実施例では、ラジエータファン４７の回転速度が高くなるほど、冷凍サイクル１１に対する空冷効果を高めることができることを考慮して、エバポレータ温度低下制御の実行中にラジエータファン４７の回転速度を最大値まで増加させるようにしているが、それよりも少ない所定量まで増加させるようにして良い。
【００５４】
ところで、運転者がアクセルを踏み込んで走行している状態が続いている期間は、自動停止要求（アイドルストップ要求）が発生しないが、運転者がブレーキを踏み込んで減速し始めると、その後、車両が停止する可能性があるため、状況によっては、自動停止要求が発生してアイドルストップが実行される可能性がある。このように、アイドルストップが実行される場合は、その前提条件として、少なくともブレーキの踏込み操作が行われていることが条件となる。
【００５５】
この点を考慮して、本実施例では、図２に示すように、ブレーキスイッチ４２でブレーキの踏込み操作が検出されてからコンプレッサ停止タイミングの予測演算を開始するようにしている。このようにすれば、暫くするとアイドルストップが実行される可能性がある運転領域でのみコンプレッサ停止タイミングの予測演算を行い、暫くしてもアイドルストップが実行される可能性がない運転領域ではコンプレッサ停止タイミングの予測演算を行わずに済むため、その予測演算を実行するエアコンＥＣＵ５（又はエンジンＥＣＵ３８）の演算処理負荷を軽減できる。但し、本発明は、予測演算を実行するエアコンＥＣＵ５（又はエンジンＥＣＵ３８）の演算処理能力に余裕があれば、全運転領域でコンプレッサ停止タイミングの予測演算を所定周期で繰り返すようにしても良い。
【００５６】
本発明は、エバポレータ温度低下制御の実行時間（所定時間）は予め決められた一定時間としても良いが、エバポレータ温度低下制御開始時のエバポレータ９の温度が高いほど、エバポレータ温度低下制御によりエバポレータ９の温度をアイドルストップ開始時の目標温度領域に低下させるのに要する時間が長くなるため、本実施例では、エバポレータ９の温度（エバポレータ吹出温度Ｔｅ）に基づいてエバポレータ温度低下制御の実行時間（所定時間）を設定するようにしている。このようにすれば、エバポレータ温度低下制御の開始時のエバポレータ９の温度が高い場合は、それに応じてエバポレータ温度低下制御の実行時間を長く設定し、エバポレータ温度低下制御の開始時のエバポレータ９の温度が低い場合は、それに応じてエバポレータ温度低下制御の実行時間を短く設定するという制御が可能となる。これにより、エバポレータ温度低下制御の開始時のエバポレータ９の温度が高い場合でも、エバポレータ温度低下制御によりエバポレータ９の温度をアイドルストップ開始時の目標温度領域まで確実に低下させることができ、一方、エバポレータ温度低下制御の開始時のエバポレータ９の温度が低い場合は、エバポレータ温度低下制御によりエバポレータ９がアイドルストップ開始時の目標温度領域以下に過冷却されることを防止できる。
【００５７】
また、本実施例では、図２に示すように、エバポレータ温度低下制御により送風ファン１２の回転速度を低下させた状態をエンジン４の自動停止後（アイドルストップ中）も継続するようにしても良い。このようにすれば、アイドルストップ中のエバポレータ９の温度上昇速度を遅くすることができ、エバポレータ温度低下制御によりアイドルストップ開始時のエバポレータ９の温度を低下させることと相俟ってエンジン停止時間（アイドルストップ時間）をより効果的に延長することができる。
【００５８】
この場合、エバポレータ温度低下制御により送風ファン１２の回転速度を低下させる低下量を、エバポレータ９の温度とエアミックスドア１９の開度とに基づいて設定するようにしている。このようにすれば、送風ファン１２の回転速度（送風量）の低下量を、乗員がさほど不快感を感じないように適正に設定できる。
【００５９】
また、アイドルストップ中にエバポレータ９の温度が高くなり過ぎると、空調能力（冷房能力）が低下して乗員が不快感を感じるようになるため、アイドルストップ中にエバポレータ９の温度が所定温度Ｔ１以上に上昇した時にエンジン４を始動させてコンプレッサ１を駆動するようにしている。ここで、所定温度Ｔ１は、コンプレッサ１を駆動しなくても空調可能（冷房可能）なエバポレータ９の温度範囲の上限温度に設定されている。このようにすれば、アイドルストップ中にエバポレータ９の温度上昇により空調能力が低下して乗員が不快感を感じるようになる前に、コンプレッサ１を駆動してエバポレータ９の温度を低下させて空調能力を回復させることができる。
【００６０】
また、エバポレータ温度低下制御の実行中にエバポレータ９の温度が所定の過冷却温度Ｔ２以下に低下した時にコンプレッサ１の容量を所定量低下させるようにしている。このようにすれば、エバポレータ温度低下制御の実行中にエバポレータ９の温度が過冷却温度Ｔ２以下に低下した時にエバポレータ９の温度低下を抑えることができ、エバポレータ９の凍結を防止できる。
【００６１】
以上説明した本実施例のアイドルストップ用空調制御は、エアコンＥＣＵ５によって図３乃至図５のアイドルストップ用空調制御の各ルーチンに従って実行される。以下、各ルーチンの処理内容を説明する。尚、各ルーチンの一部の処理をエンジンＥＣＵ３８で演算して、その演算結果をエアコンＥＣＵ５に送信するようにしても良い。
【００６２】
［エバポレータ温度低下制御ルーチン］
図３及び図４のエバポレータ温度低下制御ルーチンは、エアコンＥＣＵ５の電源オン期間中に所定の演算周期dtで繰り返し実行され、特許請求の範囲でいうコンプレッサ停止タイミング予測手段及び空調制御手段としての役割を果たす。
【００６３】
本ルーチンが起動されると、まず、ステップ１００で、エンジン運転中であるか否かを判定し、エンジン運転中でなければ、エバポレータ温度低下制御を行う必要がないため、以降の処理を行うことなく、本ルーチンを終了する。一方、上記ステップ１００で、エンジン運転中であると判定されれば、ステップ１０１に進み、ブレーキスイッチ４２がオン状態（ブレーキ踏込み操作中）であるか否かを判定し、ブレーキスイッチ４２がオフ状態（ブレーキ操作解除）であれば、暫くしてもアイドルストップ要求が発生しないと判断して、以降の処理を行うことなく、本ルーチンを終了する。
【００６４】
一方、上記ステップ１０１で、ブレーキスイッチ４２がオン状態（ブレーキ踏込み操作中）であると判定されれば、暫くするとアイドルストップ要求が発生する可能性があると判断して、ステップ１０２に進み、クランク角センサ４１で検出した現在の時刻(k) でのエンジン回転速度Ｎe(k)を読み込む。この後、ステップ１０３に進み、前述した車両トルクモデルを用いて、現在の時刻(k) から（ｎ×dt）経過した時刻(k+n) での予測エンジン回転速度Ｎe(k+n)を算出する。
【００６５】
そして、次のステップ１０４で、予測エンジン回転速度Ｎe(k+n)がコンプレッサ停止回転速度（コンプレッサ１を駆動可能な最小のエンジン回転速度）まで低下するコンプレッサ停止タイミングを予測する。
Ｎe(k+n)≦コンプレッサ停止回転速度
上式の条件を満たすｎの最小値ｎmin を求め、現在の時刻(k) から（ｎmin ×dt）経過したタイミングをコンプレッサ停止タイミングとする。
【００６６】
この後、ステップ１０５に進み、それまでに予測した複数のコンプレッサ停止タイミングの中から最も早く到来するコンプレッサ停止タイミングを最終的なコンプレッサ停止タイミングとして決定する。次のステップ１０６で、温度センサ３２で検出したエバポレータ９の温度（エバポレータ吹出温度Ｔｅ）に基づいてエバポレータ温度低下制御の実行時間（所定時間）をマップ等により算出する。
【００６７】
この後、ステップ１０７に進み、コンプレッサ停止タイミングからエバポレータ温度低下制御の実行時間（所定時間）だけ前の時刻をエバポレータ温度低下制御開始タイミングとして決定する。次のステップ１０８で、エバポレータ９の温度（エバポレータ吹出温度Ｔｅ）とエアミックスドア１９の開度とに基づいて、エバポレータ温度低下制御実行中の送風ファン１２の回転速度（送風量）の低下量をマップ等により算出する。
【００６８】
この後、ステップ１０９に進み、エバポレータ温度低下制御開始タイミングになったか否かを判定し、まだエバポレータ温度低下制御開始タイミングになっていないと判定されれば、以降の処理を行うことなく、本ルーチンを終了する。これにより、それまでに予測した複数のコンプレッサ停止タイミングの中から最も早く到来するコンプレッサ停止タイミングになるまで、上記ステップ１０１〜１０９の処理を所定の演算周期dtで繰り返し実行する。
【００６９】
その後、上記ステップ１０９で、エバポレータ温度低下制御開始タイミングになったと判定されれば、図４のステップ１１０に進み、エバポレータ温度低下制御を開始する。このエバポレータ温度低下制御実行中は、コンプレッサ１の容量を最大容量まで増加させると共に、ラジエータファン４７の回転速度（送風量）を最大値まで増加させ、更に、送風ファン１２の回転速度を、前記ステップ１０８で算出した送風ファン１２の回転速度低下量だけエバポレータ温度低下制御開始前の送風ファン１２の回転速度よりも低下させる。      
【００７０】
エバポレータ温度低下制御実行中は、ステップ１１１で、クランク角センサ４１で検出したエンジン回転速度がコンプレッサ停止回転速度以下に低下したか否かを判定し、まだエンジン回転速度がコンプレッサ停止回転速度以下に低下していなければ、ステップ１１２に進み、エバポレータ９の温度（エバポレータ吹出温度Ｔｅ）が過冷却温度Ｔ２以下になったか否かを判定し、エバポレータ９の温度が過冷却温度Ｔ２以下になっていないと判定されれば、ステップ１１４に進み、ブレーキスイッチ４２がオフ（ブレーキ操作解除）されたか否かを判定し、ブレーキスイッチ４２がオン状態（ブレーキ踏込み操作中）に維持されていれば、ステップ１１０に戻り、上述したエバポレータ温度低下制御を継続する。
【００７１】
その後、エバポレータ温度低下制御実行中に、上記ステップ１１２で、エバポレータ９の温度が過冷却温度Ｔ２以下になったと判定されれば、ステップ１１３に進み、コンプレッサ１の容量を所定量低下させると共に、ラジエータファン４７の回転速度（送風量）を所定量低下させた上で、ステップ１１４に進み、ブレーキスイッチ４２がオフ（ブレーキ操作解除）されたか否かを判定し、ブレーキスイッチ４２がオン状態（ブレーキ踏込み操作中）に維持されていれば、ステップ１１０に戻り、上述したエバポレータ温度低下制御を継続する。
【００７２】
エバポレータ温度低下制御実行中に、上記ステップ１１４で、ブレーキスイッチ４２がオフ（ブレーキ操作解除）されたと判定されれば、アイドルストップ要求が発生しないと判断して、ステップ１１５に進み、エバポレータ温度低下制御を中止して通常の空調制御に復帰する。
【００７３】
また、エバポレータ温度低下制御実行中に、上記ステップ１１１で、エンジン回転速度がコンプレッサ停止回転速度以下に低下したと判定されれば、ステップ１１６に進み、コンプレッサ１を停止させ、次のステップ１１７で、ラジエータファン４７を停止させて、エバポレータ温度低下制御を終了する。
【００７４】
［アイドルストップ中空調制御ルーチン］
図５のアイドルストップ中空調制御ルーチンは、エアコンＥＣＵ５の電源オン期間中に所定の演算周期dtで繰り返し実行され、特許請求の範囲でいう空調制御手段としての役割を果たす。
【００７５】
本ルーチンが起動されると、まず、ステップ２０１で、アイドルストップ中であるか否かを判定し、アイドルストップ中でなければ、以降の処理を行うことなく、本ルーチンを終了する。
【００７６】
一方、上記ステップ２０１で、アイドルストップ中であると判定されれば、ステップ２０２に進み、温度センサ３２で検出したエバポレータ９の温度（エバポレータ吹出温度Ｔｅ）が所定温度Ｔ１以上に上昇したか否かを判定する。ここで、所定温度Ｔ１は、コンプレッサ１を駆動しなくても空調可能（冷房可能）なエバポレータ９の温度範囲の上限温度に相当する温度に設定されている。
【００７７】
このステップ２０２で、エバポレータ９の温度が所定温度Ｔ１以下と判定されれば、コンプレッサ１を駆動する必要がないと判断して、ステップ２０３に進み、アイドルストップ中に送風ファン１２の運転のみを継続して車室内の空調（冷房）を継続する。このアイドルストップ中の送風ファン１２の回転速度（送風量）は、エバポレータ温度低下制御終了時と同じ回転速度（送風量）に維持される。従って、アイドルストップ中の送風ファン１２の回転速度（送風量）は、前記ステップ１０８で算出した送風ファン１２の回転速度低下量だけエバポレータ温度低下制御開始前の送風ファン１２の回転速度（送風量）よりも低下された状態に維持される。
【００７８】
これに対して、上記ステップ２０２で、エバポレータ９の温度が所定温度Ｔ１を上回ったと判定されれば、空調能力（冷房能力）が不足すると判断して、ステップ２０４に進み、エンジン４を再始動させてコンプレッサ１を駆動し、エバポレータ９の温度を低下させる。
【００７９】
以上説明した本実施例によれば、車両トルクモデルを用いてエンジン回転速度がコンプレッサ停止回転速度（コンプレッサ１を駆動可能な最小のエンジン回転速度）まで低下するコンプレッサ停止タイミングを予測し、予測したコンプレッサ停止タイミングの所定時間前からコンプレッサ１の容量を増加させ且つ送風ファン１２の回転速度を低下させるエバポレータ温度低下制御を実行するようにしたので、アイドルストップ前にエバポレータ温度低下制御を実行する時間を確実に所定時間確保することができる。しかも、エバポレータ温度低下制御の実行中にコンプレッサ１の容量を増加させて冷凍サイクル１１の冷却能力を増大させながら送風ファン１２の回転速度（送風量）を低下させるため、アイドルストップ開始までにエバポレータ９の温度を効率良く低下させることが可能となる。これにより、アイドルストップ開始時のエバポレータ９の温度を従来より低下させることが可能となり、アイドルストップ中の空調能力（冷房能力）を向上させることができると共に、エンジン停止時間（アイドルストップ時間）の延長も可能となる。この場合、エバポレータ温度低下制御の実行中に送風ファン１２の回転速度（送風量）を低下させるため、乗員が温度設定スイッチ３７ａで設定した目標吹出温度Ｔｓｅｔよりも吹出温度が少し高くなるかもしれないが、エバポレータ温度低下制御の実行時間は短時間であるため、乗員がほとんど不快感を感じることはない。
【００８０】
尚、本実施例では、コンプレッサ停止タイミングの予測演算を実行する運転領域をブレーキ踏込み操作中に限定したが、例えば、ブレーキ踏込み操作中で且つ車速が所定値以下の領域でのみコンプレッサ停止タイミングの予測演算を実行するようにしても良い。或は、車両の減速度（加速度）の絶対値が所定値以上の減速領域でのみコンプレッサ停止タイミングの予測演算を実行するようにしても良い。
【００８１】
また、本実施例では、エバポレータ９の温度に基づいてエバポレータ温度低下制御の実行時間を設定するようにしたが、外気温が低いほどエンジンルーム内の温度が低くなってエバポレータ９の温度低下が促進されることを考慮して、エバポレータ９の温度と外気温（又は吸気温）とに基づいてエバポレータ温度低下制御の実行時間をマップ等により算出するようにしても良い。
【００８２】
その他、本発明は、空調装置の構成を変更したり、トルクコンバータ付きの自動変速機以外の変速機を搭載した車両であっても、アイドルストップ制御機能を搭載した車両であれば、本発明を適用して実施できる等、要旨を逸脱しない範囲内で種々変更して実施できる。
【符号の説明】
【００８３】
１…コンプレッサ、５…エアコンＥＣＵ（コンプレッサ停止タイミング予測手段，空調制御手段）、６…コンデンサ、７…受液器、８…膨張弁、９…エバポレータ、１１…冷凍サイクル、１２…送風ファン、１９…エアミックスドア、２０…ヒータコア、２１…バイパス通路、２３…温風通路、３２…温度センサ（温度検出手段）、３８…エンジンＥＣＵ（アイドルストップ制御手段）、４２…ブレーキスイッチ（ブレーキ操作検出手段）、４３…車速センサ、４４…外気温センサ、４５…スロットルセンサ、４６…アクセルセンサ、４７…ラジエータファン
【図１】
2011189812.tif 000005
【図２】
2011189812.tif 000006
【図３】
2011189812.tif 000007
【図４】
2011189812.tif 000008
【図５】
2011189812.tif 000009